(57)【要約】      （修正有）【課題】ユーザの操作を容易にする。【解決手段】代表画面と第１群〜第Ｎ群の画面とを表示可能であり、その代表画面に表示される複数の選択肢のうちのいずれかが選択されたときにその第１群の画面のうちの第１画面が表示され、その第ｍ群の画面のうちの第ｍ画面に表示される複数の選択肢のうちのいずれかが選択されたときにその第（ｍ＋１）群の画面のうちの第（ｍ＋１）画面が表示される。このとき、その第ｋ群（ｋ＝２、３、・・・、Ｎ）の画面のうちから割当画面を選択し、その代表画面に表示される複数の選択肢に割当選択肢を追加し、その代表画面が表示されている場合でその代表画面に表示される複数の選択肢のうちからその割当選択肢が選択されたときにその割当画面を表示する。【選択図】図９
2008242486.tif 000002
【特許請求の範囲】
【請求項１】
代表画面と第１群の画面〜第Ｎ群の画面とのうちのいずれかを表示可能であり、
前記代表画面に表示される複数の選択肢のうちのいずれかが選択されたときに前記第１群の画面のうちのいずれかの画面が表示され、
第ｎ群（ｎ＝１、２、・・・、Ｎ−１）の画面のうちのいずれかに表示される複数の選択肢のうちのいずれかが選択されたときに第（ｎ＋１）群の画面のうちのいずれかが表示され、
前記第１群の画面〜前記第Ｎ群の画面のうちのいずれかを表示して目的のデータを編集する
電子楽器のデータ編集装置において、
前記第２群の画面〜前記第Ｎ群の画面のうちから割当画面を選択する手段と、
前記代表画面に表示される複数の選択肢に割当選択肢を追加する手段と、
前記代表画面に表示される複数の選択肢のうちから前記割当選択肢が選択されたときに前記割当画面を表示する手段
とを備えたことを特徴とする電子楽器のデータ編集装置。
【請求項２】
請求項１において、
前記割当選択肢に前記割当画面に応じた名称を表示する
ことを特徴とする電子楽器のデータ編集装置。
【請求項３】
請求項２において、
前記割当画面が表示されているときに所定の操作が行われることにより、前記第２群の画面〜前記第Ｎ群の画面のうちから前記割当画面を選択する
ことを特徴とする電子楽器のデータ編集装置。
【発明の詳細な説明】
【技術分野】
【０００１】
本発明は、電子楽器に関し、特に、楽曲を編集し、その編集された楽曲を演奏する電子楽器に関する。
【背景技術】
【０００２】
多数の機能を実行することができる電子楽器が知られている。電子楽器に搭載される表示装置は、一般に、パーソナルコンピュータと比較して小さく、多くの情報を表示することができない。このため、このような電子楽器は、多くの画面を切り換えて表示装置に表示させることにより、多くの情報を表示している。このような電子楽器は、その機能を実行するときに、ボタンを複数回押すことによりその機能に関する情報を表示する画面を表示させた後に、その機能を実行している（たとえば、非特許文献１参照。）。
【０００３】
このため、ユーザは、実行したい機能を表示している画面を電子楽器に表示させるときに、ボタンを複数回押下する必要がある。ユーザがより容易に操作することができる電子楽器が望まれている。
【０００４】
【非特許文献１】株式会社河合楽器製作所、カワイ電子オルガン・ドリマトーンＤＴ９／ＤＴ７取扱説明書
【発明の開示】
【発明が解決しようとする課題】
【０００５】
本発明の課題は、ユーザの操作を容易にする電子楽器を提供することにある。
【課題を解決するための手段】
【０００６】
以下に、［発明の実施の形態］で使用される番号・符号を括弧付きで用いて、課題を解決するための手段を説明する。
【０００７】
本発明による電子楽器（１）は、複数の機能に対応する複数の画面（３１、３６、４１、４６、５１、５６、６１）から選択ボタン（４−１〜４−１７）が複数回押下されることに基づいて選択される１つの選択画面を表示装置（３）に表示する選択部（１２）と、複数の画面（３１、３６、４１、４６、５１、５６、６１）のうちの割当画面（５６、６１）を割当ボタン（図４の４−１１、４−１２）に割り当てる割当部（１４）とを備えている。選択部（１２）は、割当ボタン（図４の４−１１、４−１２）が１回押下されたときに、割当画面（５６、６１）を表示装置（３）に表示する。このような電子楽器（１）は、ユーザによる操作を容易にする。
【０００８】
割当部（１４）は、割当ボタン（図４の４−１１、４−１２）が割当画面（５６、６１）に割り当てられたこと（３２−１１、３２−１２）を表示装置（３）に表示することが好ましい。
【０００９】
割当ボタン（図４の４−１１、４−１２）は、第１割当ボタン（図４の４−１１）と第２割当ボタン（図４の４−１２）とを含んでいる、すなわち、複数であることが好ましい。このとき、割当画面（５６、６１）は、第１割当ボタン（図４の４−１１）に割り当てられる第１割当画面（５６）と、第２割当ボタン（図４の４−１２）に割り当てられる第２割当画面（６１）とを含んでいる。選択部（１２）は、第１割当ボタン（図４の４−１１）が１回押下されたときに、第１割当画面（５６）を表示装置（３）に表示し、第２割当ボタン（図４の４−１２）が１回押下されたときに、第２割当画面（６１）を表示装置（３）に表示する。
【００１０】
割当部（１４）は、割当画面（５６、６１）が表示され、且つ、割当設定ボタン（５）が押下されたときに、割当画面（５６、６１）を割当ボタン（図４の４−１１、４−１２）に割り当てることが好ましい。
【００１１】
本発明による電子楽器（１）は、複数の機能のうち表示装置（３）に表示された実行画面に対応する実行機能を実行する実行部（１３）を更に含んでいる。割当部（１４）は、複数の画面（３１、３６、４１、４６、５１、５６、６１）のうちの実行部（１３）により最後に実行された機能に対応する画面を割当画面（５６、６１）として割当ボタン（図４の４−１１、４−１２）に割り当てることが好ましい。
【００１２】
複数の機能は、電子楽器（１）により楽曲を編集することを含むことが好ましい。
【発明の効果】
【００１３】
本発明による電子楽器は、ユーザの操作を容易にすることができる。
【発明を実施するための最良の形態】
【００１４】
図面を参照して、本発明による電子楽器の実施の形態を説明する。その電子楽器１は、図１に示されているように、電子楽器本体２と表示装置３とボタン４と割当設定ボタン５とを備えている。電子楽器本体２は、情報処理装置（コンピュータ）であり、記録されているコンピュータプログラムを実行して、表示装置３とボタン４とを制御する。表示装置３は、液晶ディスプレイであり、電子楽器本体２により出力される画面を表示する。ボタン４は、複数のボタンから形成され、ユーザにより押下されたボタンを電子楽器本体２に通知する。割当設定ボタン５は、ユーザにより押下されたときに、押下されていることを電子楽器本体２に通知する。
【００１５】
電子楽器１は、さらに、図示されていない鍵盤、音源、スピーカを備えている。電子楽器１は、ユーザによりその鍵盤が操作されることにより、叩かれた鍵に対応する音を発音する。
【００１６】
図２は、電子楽器本体２を詳細に示している。電子楽器本体２は、コンピュータプログラムである割当データベース１１と選択部１２と実行部１３と割当部１４とを備えている。
【００１７】
選択部１２は、表示装置３に１つずつ表示される複数の画面を記録している。その画面は、ボタン４にそれぞれ対応づけられた機能を示している。このとき、ボタン４は、画面毎に異なる複数の機能を対応づけられることがある。ボタン４は、表示装置３に表示されている画面を他の画面に切り換えて表示する選択ボタンと、その他の機能を実行する実行ボタンとを含んでいる。選択部１２は、さらに、ユーザによりその選択ボタンが押下されたときに、表示装置３に表示されている画面を他の画面に切り換えて表示する。
【００１８】
実行部１３は、ユーザによりその実行ボタンが押下されたときに、その実行ボタンに対応する機能を実行する。その機能としては、鍵盤の操作に応答して発音する音の音色の設定すること、自動伴奏に関する設定をすること、自動演奏に関する設定をすること、自動演奏される楽曲を編集することが例示される。自動演奏される楽曲の編集としては、その楽曲の途中に小節を挿入すること、その楽曲から小節を削除すること、その楽曲を構成するイベントの内容を変更することが例示される。
【００１９】
割当部１４は、ユーザにより割当設定ボタン５が押下されたときに、表示装置３に表示されている画面をボタン４の所定の操作に対応づけて割当データベース１１に記録する。割当部１４は、または、実行部１３により実行された機能を示している画面をボタン４の所定の操作に対応づけて割当データベース１１に記録する。割当部１４は、さらに、選択部１２に記録されている画面の一部を変更する。
【００２０】
図３は、割当データベース１１を示している。割当ＤＢ１１は、ボタンデータ２１と画面データ２２とを対応づけて記録している。ボタンデータ２１は、複数の画面のうちのＨＯＭＥ画面が表示されているときに、ボタン４の１つが１回押下される操作を示している。画面データ２１は、選択部１２により記録されている複数の画面を識別している。
【００２１】
図４は、表示装置３とボタン４と割当設定ボタン５とを詳細に示している。表示装置３とボタン４と割当設定ボタン５とは、電子楽器１のフロントパネルに設けられている。ボタン４は、複数のボタン４−１〜４−１７から形成されている。複数のボタン４−１〜４−１７は、それぞれ、表示装置３の表示面の端縁の近傍に配置されている。割当設定ボタン５は、表示装置３の表示面の端縁からボタン４より離れた位置に配置されている。
【００２２】
選択部１２により記録されている複数の画面は、それぞれ、複数の記号を備えている。その記号は、その画面が表示装置３の表示面に表示されたときに、それぞれ、複数のボタンの近傍に配置される。その記号は、それぞれ、近傍に配置されるボタンに割り当てられる機能を示している。その記号は、近傍に配置されるボタンに機能が割り当てられていないときに、表示されない。
【００２３】
図４は、さらに、複数の画面のうちのＨＯＭＥ画面を示している。そのＨＯＭＥ画面３１は、複数の記号３２−１１〜３２−１７を備えている。記号３２−ｉ（ｉ＝１，２，３，…，１７）は、ボタン４−ｉに割り当てられる機能を示している。記号３２−１１は、割当部１４により割り当てられたＥＶＥＮＴ−ＥＤＩＴ画面を表示装置３に表示する機能を示している。記号３２−１２は、割当部１４により割り当てられたＩＮＳＥＲＴ−ＢＡＲ画面を表示装置３に表示する機能を示している。すなわち、記号３２−１１、３２−１２は、割当部１４により割り当てられていないときに、表示されていない。記号３２−１３は、ＤＩＳＫ画面を表示装置３に表示する機能を示している。記号３２−１４は、ＣＯＮＴＲＯＬ画面を表示装置３に表示する機能を示している。記号３２−１５は、ＳＹＳＴＥＭ画面を表示装置３に表示する機能を示している。記号３２−１６は、ＡＰＯ−ＥＤＩＴ画面を表示装置３に表示する機能を示している。記号３２−１７は、ＭＥＮＵ画面を表示装置３に表示する機能を示している。
【００２４】
図５は、複数の画面のうちのＭＥＮＵ画面を示している。そのＭＥＮＵ画面３６は、記号３７−１〜３７−１７を備えている。記号３７−ｉは、ボタン４−ｉに割り当てられる機能を示している。記号３７−２は、ＤＴ−ＲＥＣＯＲＤＥＲ画面を表示装置３に表示する機能を示している。記号３７−３は、ＧＭ−ＲＥＣＯＲＤＥＲ画面を表示装置３に表示する機能を示している。記号３７−４は、ＤＩＳＫ−ＳＯＮＧ−ＰＬＡＹ画面を表示装置３に表示する機能を示している。記号３７−１１は、ＨＯＭＥ画面３１を表示装置３に表示する機能を示している。
【００２５】
図６は、ＤＴ−ＲＥＣＯＲＤＥＲ画面を示している。そのＤＴ−ＲＥＣＯＲＤＥＲ画面４１は、記号４２−１〜４２−１１を備えている。記号４２−ｉは、ボタン４−ｉに割り当てられる機能を示している。記号４２−１は、ＤＴ−ＮＥＷ−ＳＯＮＧ画面を表示装置３に表示する機能を示している。記号４２−２は、ＭＩＸＥＲ画面を表示装置３に表示する機能を示している。記号４２−３は、ＳＵＢ−ＴＲＡＣＫ−ＲＥＣ画面を表示装置３に表示する機能を示している。記号４２−４は、ＰＵＮＣＨ−ＩＮ／ＯＵＴ画面を表示装置３に表示する機能を示している。記号４２−５は、ＳＴＥＰ−ＲＥＣ画面を表示装置３に表示する機能を示している。記号４２−６は、ＬＯＯＰ−ＳＥＴＴＩＮＧ画面を表示装置３に表示する機能を示している。記号４２−７は、ＳＯＮＧ−ＥＤＩＴ画面を表示装置３に表示する機能を示している。記号４２−８は、ＢＡＲ−ＥＤＩＴ画面を表示装置３に表示する機能を示している。記号４２−９は、ＥＶＥＮＴ−ＥＤＩＴ画面を表示装置３に表示する機能を示している。記号４２−１１は、先に表示されていた画面、たとえば、ＭＥＮＵ画面３６を表示装置３に表示する機能を示している。
【００２６】
図７は、ＢＡＲ−ＥＤＩＴ画面を示している。そのＢＡＲ−ＥＤＩＴ画面４６は、記号４７−１〜４７−１１を備えている。記号４７−ｉは、ボタン４−ｉに割り当てられる機能を示している。記号４７−１は、ＩＮＳＥＲＴ画面を表示装置３に表示する機能を示している。記号４７−２は、ＤＥＬＥＴＥ画面を表示装置３に表示する機能を示している。記号４７−３は、ＥＲＡＳＥ画面を表示装置３に表示する機能を示している。記号４７−４は、ＣＯＰＹ画面を表示装置３に表示する機能を示している。記号４７−５は、ＱＵＡＮＴＩＺＥ画面を表示装置３に表示する機能を示している。記号４７−６は、ＣＬＯＣＫ−ＭＯＶＥ画面を表示装置３に表示する機能を示している。記号４７−７は、ＧＡＴＥＴＩＭＥ−ＭＯＤＩＦＹ画面を表示装置３に表示する機能を示している。記号４７−８は、ＶＥＬＯＣＩＴＹ−ＭＯＤＩＦＹ画面を表示装置３に表示する機能を示している。記号４７−９は、ＴＲＡＮＳＰＯＳＥ画面を表示装置３に表示する機能を示している。記号４７−１０は、ＭＥＲＧＥ画面を表示装置３に表示する機能を示している。記号４７−１１は、先に表示されていた画面、たとえば、ＤＴ−ＲＥＣＯＲＤＥＲ画面４１を表示装置３に表示する機能を示している。
【００２７】
図８は、ＩＮＳＥＲＴ画面を示している。そのＩＮＳＥＲＴ画面５１は、記号５２−２〜５２−１７を備えている。記号５２−ｉは、ボタン４−ｉに割り当てられる機能を示している。記号５２−２は、インサート元のトラックを選択する機能を示している。記号５２−３、５２−４は、インサート元の小節範囲を選択する機能を示している。記号５２−７は、インサート先のトラックを選択する機能を示している。記号５２−８は、インサート先の小節を選択する機能を示している。記号５２−１１は、先に表示されていた画面、たとえば、ＢＡＲ−ＥＤＩＴ画面４６を表示装置３に表示する機能を示している。記号５２−１３、１４は、ＩＮＳＥＲＴ−ＢＡＲ画面を表示装置３に表示する機能を示している。記号５２−１７は、表示されている内容で演奏の一部をその演奏の他の位置に挿入し、その後ＨＯＭＥ画面３１を表示する機能を示している。
【００２８】
図９は、ＩＮＳＥＲＴ−ＢＡＲ画面を示している。そのＩＮＳＥＲＴ−ＢＡＲ画面５６は、記号５７−２〜５７−１７を備えている。記号５７−ｉは、ボタン４−ｉに割り当てられる機能を示している。記号５７−２は、挿入する空白の小節数を選択する機能を示している。記号５７−３は、挿入する空白の拍子を選択する機能を示している。記号５７−７は、挿入する先のトラックを選択する機能を示している。記号５７−８は、挿入する先の小節を選択する機能を示している。記号５７−１１は、先に表示されていた画面、たとえば、ＩＮＳＥＲＴ画面５１を表示装置３に表示する機能を示している。記号５７−１７は、表示されている内容で空白を挿入して、その後ＨＯＭＥ画面３１を表示する機能を示している。
【００２９】
図１０は、ＥＶＥＮＴ−ＥＤＩＴ画面を示している。そのＥＶＥＮＴ−ＥＤＩＴ画面６１は、記号６２−２〜６２−１６を備えている。記号６２−ｉは、ボタン４−ｉに割り当てられる機能を示している。記号６２−２、６２−５は、小節を選択する機能を示している。記号６２−３、６３−４は、イベントを選択する機能を示している。記号６２−７は、選択されたイベントを削除する機能を示している。記号６２−８は、選択されたイベントの前にイベントを新たに挿入する機能を示している。記号６２−９は、選択されたイベントを変更する機能を示している。記号６２−１１は、先に表示されていた画面、たとえば、ＤＴ−ＲＥＣＯＲＤＥＲ画面４１を表示装置３に表示する機能を示している。記号６２−１２は、変更される前の元の値を表示する機能を示している。記号６２−１３、６２−１４は、トラックを選択する機能を示している。記号６２−１５、６２−１６は、表示されている値を選択する機能を示している。記号６２−１７は、録音されている内容を表示されている値に設定し、その後ＨＯＭＥ画面３１を表示する機能を示している。
【００３０】
電子楽器１の操作方法は、画面を割り当てられたボタンを用いないで機能を実行させる第１操作と、ボタン４に画面を割り当てる第２操作と、画面を割り当てられたボタンを用いて機能を実行させる第３操作とを備えている。
【００３１】
ユーザは、その第１操作により電子楽器１に記録されている楽曲に小節を挿入する場合に、まず、電子楽器１がＨＯＭＥ画面３１を表示しているときに、ボタン４−１７を押下する。このとき、電子楽器１は、ＭＥＮＵ画面３６を表示する。ユーザは、次いで、ＭＥＮＵ画面３６が表示されているときに、ボタン４−２を押下する。このとき、電子楽器１は、ＤＴ−ＲＥＣＯＲＤＥＲ画面４１を表示する。ユーザは、次いで、ＤＴ−ＲＥＣＯＲＤＥＲ画面４１が表示されているときに、ボタン４−８を押下する。このとき、電子楽器１は、ＢＡＲ−ＥＤＩＴ画面４６を表示する。ユーザは、次いで、ＢＡＲ−ＥＤＩＴ画面４６が表示されているときに、ボタン４−１を押下する。このとき、電子楽器１は、ＩＮＳＥＲＴ画面５１を表示する。ユーザは、次いで、ＩＮＳＥＲＴ画面５１が表示されているときに、ボタン４−１３またはボタン４−１４を押下する。このとき、電子楽器１は、ＩＮＳＥＲＴ−ＢＡＲ画面５６を表示する。
【００３２】
ユーザは、次いで、ＩＮＳＥＲＴ−ＢＡＲ画面５６が表示されているときに、ボタン４−２、３、７、８を押下して挿入する空白に関する値を代入し、ボタン５７−１７を押下する。このとき、電子楽器１は、代入された値が示すように楽曲に空白を挿入し、その後ＨＯＭＥ画面３１を表示する。
【００３３】
ユーザは、その第１操作により電子楽器１に記録されている楽曲の内容を変更する場合に、まず、電子楽器１がＨＯＭＥ画面３１を表示しているときに、ボタン４−１７を押下する。このとき、電子楽器１は、ＭＥＮＵ画面３６を表示する。ユーザは、次いで、ＭＥＮＵ画面３６が表示されているときに、ボタン４−２を押下する。このとき、電子楽器１は、ＤＴ−ＲＥＣＯＲＤＥＲ画面４１を表示する。ユーザは、次いで、ＤＴ−ＲＥＣＯＲＤＥＲ画面４１が表示されているときに、ボタン４−９を押下する。このとき、電子楽器１は、ＥＶＥＮＴ−ＥＤＩＴ画面６１を表示する。
【００３４】
ユーザは、次いで、ＥＶＥＮＴ−ＥＤＩＴ画面６１が表示されているときに、ボタン４−２〜９、１２〜１６を押下して変更するイベントに関する値を代入し、ボタン４−１１を押下する。このとき、電子楽器１は、代入された値が示すように楽曲を変更し、その後ＤＴ−ＲＥＣＯＲＤＥＲ画面４１を表示する。
【００３５】
ユーザは、その第２操作によりボタン４に画面を割り当てる場合に、電子楽器１が割り当てたい画面を表示しているときに、割当設定ボタン５を押下する。このとき、電子楽器１は、ＨＯＭＥ画面３１のボタン４−１１の近傍にその画面を表示する機能を示す記号３２−１１を配置する。電子楽器１は、ＨＯＭＥ画面３１のボタン４−１１の近傍に既に記号が配置されているときに、その記号をＨＯＭＥ画面３１のボタン４−１２の近傍に移動させ、ＨＯＭＥ画面３１のボタン４−１１の近傍にその画面を表示する機能を示す記号３２−１１を配置する。
【００３６】
たとえば、ユーザは、その第２操作によりボタン４にＩＮＳＥＲＴ−ＢＡＲ画面５６を割り当てる場合に、電子楽器１がＩＮＳＥＲＴ−ＢＡＲ画面５６を表示しているときに、割当設定ボタン５を押下する。このとき、電子楽器１は、ＨＯＭＥ画面３１のボタン４−１１の近傍にＩＮＳＥＲＴ−ＢＡＲ画面５６を表示する機能を示す記号３２−１１を配置する。
【００３７】
次いで、ユーザは、その第２操作によりボタン４にＥＶＥＮＴ−ＥＤＩＴ画面６１を割り当てる場合に、電子楽器１がＥＶＥＮＴ−ＥＤＩＴ画面６１を表示しているときに、割当設定ボタン５を押下する。このとき、電子楽器１は、ＩＮＳＥＲＴ−ＢＡＲ画面５６を表示する機能を示す記号をＨＯＭＥ画面３１のボタン４−１２の近傍に移動させ、ＨＯＭＥ画面３１のボタン４−１１の近傍にＥＶＥＮＴ−ＥＤＩＴ画面６１を表示する機能を示す記号３２−１１を配置する。
【００３８】
ユーザは、その第１操作により電子楽器１に記録されている楽曲に小節を挿入する場合に、まず、電子楽器１がＨＯＭＥ画面３１を表示しているときに、ボタン４−１２を押下する。このとき、電子楽器１は、ＩＮＳＥＲＴ−ＢＡＲ画面５６を表示する。ユーザは、次いで、ＩＮＳＥＲＴ−ＢＡＲ画面５６が表示されているときに、ボタン４−２、３、７、８を押下して挿入する空白に関する値を代入し、ボタン５７−１７を押下する。このとき、電子楽器１は、代入された値が示すように楽曲に空白を挿入し、その後ＨＯＭＥ画面３１を表示する。
【００３９】
ユーザは、その第３操作により電子楽器１に記録されている楽曲の内容を変更する場合に、まず、電子楽器１がＨＯＭＥ画面３１を表示しているときに、ボタン４−１１を押下する。このとき、電子楽器１は、ＥＶＥＮＴ−ＥＤＩＴ画面６１を表示する。ユーザは、次いで、ＥＶＥＮＴ−ＥＤＩＴ画面６１が表示されているときに、ボタン４−２〜９、１２〜１６を押下して変更するイベントに関する値を代入し、ボタン４−１１を押下する。このとき、電子楽器１は、代入された値が示すように楽曲を変更し、その後ＤＴ−ＲＥＣＯＲＤＥＲ画面４１を表示する。
【００４０】
第３操作は、このように、第１操作よりユーザによりボタン４が押下される回数を減少させている。本発明による電子楽器は、ユーザの操作を多様化させ、ユーザの操作を容易にすることができる。
【００４１】
なお、第２操作の実施の他の形態は、割当設定ボタン５を用いないで実行される。すなわち、ユーザは、他の画面に切り換わる以外の動作を実行するボタン４を押下する。このとき、電子楽器１は、その時に表示されていたその画面を表示する機能を示す記号３２−１１をＨＯＭＥ画面３１のボタン４−１１の近傍に配置する。電子楽器１は、ＨＯＭＥ画面３１のボタン４−１１の近傍に既に記号が配置されているときに、その記号をＨＯＭＥ画面３１のボタン４−１２の近傍に移動させ、ＨＯＭＥ画面３１のボタン４−１１の近傍にその画面を表示する機能を示す記号３２−１１を配置する。このとき、電子楽器１は、新たに割当設定ボタン５を搭載する必要がなく、より安価に製造することができる。
【図面の簡単な説明】
【００４２】
【図１】図１は、本発明による電子楽器の実施の形態を示すブロック図である。
【図２】図２は、電子楽器本体の実施の形態を示すブロック図である。
【図３】図３は、割当データベースを示す図である。
【図４】図４は、表示装置とボタンと割当設定ボタンとを示す平面図である。
【図５】図５は、ＭＥＮＵ画面を示す図である。
【図６】図６は、ＤＴ−ＲＥＣＯＲＤＥＲ画面を示す図である。
【図７】図７は、編集画面を示す図である。
【図８】図８は、挿入画面を示す図である。
【図９】図９は、小節挿入画面を示す図である。
【図１０】図１０は、イベント編集画面を示す図である。
【符号の説明】
【００４３】
１  ：電子楽器
２  ：電子楽器本体
３  ：表示装置
４  ：ボタン
１１：割当データベース
１２：選択部
１３：実行部
１４：割当部
２１：ボタンデータ
２２：画面データ
３１：ＨＯＭＥ画面
３２−１〜３２−１７：記号
３６：ＭＥＮＵ画面
３７−１〜３７−１７：記号
４１：ＤＴ−ＲＥＣＯＲＤＥＲ画面
４２−１〜４２−１７：記号
４６：編集画面
４７−１〜４７−１７：記号
５１：挿入画面
５２−１〜５２−１７：記号
５６：小節挿入画面
５７−１〜５７−１７：記号
６１：イベント編集画面
６２−１〜６２−１７：記号
【図１】
2008242486.tif 000003
【図２】
2008242486.tif 000004
【図３】
2008242486.tif 000005
【図４】
2008242486.tif 000006
【図５】
2008242486.tif 000007
【図６】
2008242486.tif 000008
【図７】
2008242486.tif 000009
【図８】
2008242486.tif 000010
【図９】
2008242486.tif 000011
【図１０】
2008242486.tif 000012